(57)【要約】【課題】鳥の囀りに似た音声の発生及び鳥本体の動作に必要な駆動電力を太陽電池で賄い得るようにするとともに太陽電池を人や物体の出入りを検知するセンサーとして機能させ得るようにした鳥玩具装置を提供する。【解決手段】鳥本体１１の鳥の鳴き声や囀りに似せた音声を発生させるスピーカ２７の駆動、この音声に合わせて鳥本体１１の嘴１１４と尾部１１５を動作させる駆動コイル２４の駆動及び検出回路３０、記憶回路３１、制御回路３２などの鳥本体１１の動作に必要な駆動電力を止り木１３の屋根１２上に配設した太陽電池１４から発生する起電力で賄い得るように構成した。【選択図】  図２
0003116493.tif 000002
【実用新案登録請求の範囲】
【請求項１】
鳥を模した玩具用の鳥本体と、
前記鳥本体が固定される屋根付きの止り木と、
前記屋根の表面上に配設された太陽電池と、
前記止り木内に設けられ前記太陽電池から出力される電力を充電する蓄電池と、
前記鳥本体内に設けられ前記蓄電池を駆動電源とするスピーカと、
人や物体の出入りを検知し前記太陽電池の出力電圧を駆動電源とする検知手段と、
鳥の鳴き声や囀り音などの複数種類の音声情報を記憶し前記蓄電池を動作電源とする記憶手段とを備え、
前記鳥本体は嘴と尾部を有し、前記嘴は前記鳥本体内に軸を支点にして上下方向に回動可能にかつ前記鳥本体の前後方向に延在して設けられた第１揺動部材の一端に設けられ、前記第１揺動部材の他端には該第１揺動部材に前記嘴が閉じる方向の回動力を生じさせるのに必要な重さを有する第１永久磁石が設けられ、前記尾部は前記鳥本体内に軸を支点にして上下方向に回動可能にかつ前記鳥本体の前後方向に延在して設けられた第２揺動部材の一端に設けられ、前記第２揺動部材の他端には該第２揺動部材に前記尾部が上方へ揺動される方向の回動力を生じさせるのに必要な重さを有する第２永久磁石が設けられ、前記第２永久磁石は前記第１永久磁石に対して該第１永久磁石の下方から離間及び接近できるように相対向して配置され、かつ前記第２永久磁石の磁極を前記第１永久磁石の磁極と互いに反発し合う極性に構成することにより前記第１永久磁石に対する前記第２永久磁石の接近及び離間に伴う両者の磁気的作用で前記第１揺動部材に揺動運動が与えられるように構成し、
前記第２永久磁石の下方に位置する前記鳥本体内の箇所には前記嘴及び尾部を動作する駆動コイルを配設し、
前記検知手段が人や物体の出入りを検知した時の検知信号を情報読み出しコマンドとして前記記憶手段に入力することにより該記憶手段から音声情報を読み出し音声信号に変換して前記スピーカの駆動回路に出力し、かつ前記読み出された音声情報をコイル駆動信号に変換して前記駆動コイルの駆動回路に出力し前記蓄電池を動作電源とする制御回路を備え、
前記音声信号を前記スピーカの駆動回路に出力して前記スピーカを駆動することにより鳥の鳴き声や囀り音を前記スピーカから発生させると同時に前記コイル駆動信号を前記駆動コイルの駆動回路に出力して前記駆動コイルを制御することにより前記嘴及び尾部を前記スピーカらの音声に合わせて動作するように構成したことを特徴とする鳥玩具装置。
【請求項２】
前記駆動コイルが前記第２永久磁石と磁気的に反発する極性に励磁された時に前記第２永久磁石を前記駆動コイルから離間する方向に移動させ、かつ前記駆動コイルが励磁されない時は前記第２永久磁石を自重で前記駆動コイルに接近する方向に移動させることにより前記第２揺動部材を含む尾部を上下方向に揺動させ、かつ前記第２永久磁石が前記駆動コイルから離間する方向に移動して前記第１の永久磁石に接近する時は該第２永久磁石との磁気的な反発作用により前記第１永久磁石を前記第２永久磁石から離間する方向に移動させることにより前記第１揺動部材を含む嘴を動作するように構成したことを特徴とする請求項１記載の鳥玩具装置。
【請求項３】
前記第１永久磁石はゴム磁石から構成されていることを特徴とする請求項１記載の鳥玩具装置。
【請求項４】
前記第２永久磁石が設けられた前記第２揺動部材の他端が当接する前記駆動コイルの上面箇所にクッション用シート材が貼着されていることを特徴とする請求項１記載の鳥玩具装置。
【請求項５】
前記検知手段は、前記鳥本体に設けられ出入りする人や物体からの反射光を検知する光導電素子と、前記反射光を検知した時の前記光導電素子の光導電効果に伴う抵抗値の変化を検出して検知信号を出力する検出回路とを備えることを特徴とする請求項１記載の鳥玩具装置。
【請求項６】
前記検出回路は、前記出入りする人や物体が前記太陽電池への入射光量を変化させた時の起電力の変化を検出して検知信号を出力するように構成されていることを特徴とする請求項５記載の鳥玩具装置。
【考案の詳細な説明】
【技術分野】
【０００１】
本考案は、鳥を模した玩具用の鳥本体が鳥の鳴き声や囀りに似せた音声を発するとともに、この音声に合わせて鳥本体の一部を動作させ、かつ、鳥本体の一部が空気の移動エネルギーでも動作できるように構成された鳥玩具装置に関し、特に鳥本体の駆動エネルギー源を光エネルギーで賄い得るようにした鳥玩具装置に関する。
【背景技術】
【０００２】
近年、鳥の囀りに似た音声を発生させると同時に、鳥を模した鳥本体の一部である嘴及び尾部を音声に合わせて動作させるようにした鳥玩具装置が出現してきている。
この種の鳥玩具装置は、鳥を模した鳥本体と、この鳥本体が取り付けられる、岩や木の切り株など模した支持台とを備え、鳥本体内には、嘴を鳥の囀り音に合わせて動作させるとともに尾部を鳥の囀り音に合わせて動作させるためのコイルと永久磁石を配設し、支持台内には、人や物体の出入りを検知するセンサーと、鳥の囀り音を記憶した音声記憶部と、鳥の囀り音を出力するスピーカと、これらを制御する制御部とが設けられている。
【０００３】
このような鳥玩具装置において、センサーが人や物体の出入りを検知すると、制御部から音声記憶部に対してコマンド指令が送出される。これにより、音声記憶部から所定の音声情報を選択してスピーカの駆動回路に出力し、この駆動回路でスピーカを鳴動させることにより、鳥の囀りに似た音声がスピーカから出力される。これと同時に、制御部からコイルに対して鳥の囀り音声に応じた電流信号を供給し、この電流信号に応じてコイルを励磁することにより生じる永久磁石との磁気的反発作用で鳥本体の囎と尾部を鳥の囀り音に合わせて動作させ、あたかも鳥玩具が囀っているようにする(例えば、特許文献１参照)。
【特許文献１】特開２００３-２０５１７７
【考案の開示】
【考案が解決しようとする課題】
【０００４】
しかし、上記のような従来の鳥玩具装置は、その電源に乾電池等の一次電池または商用電圧をスイッチングレギュレータなどにより所定の直流電圧に降圧してなる電源装置を用いているのが現状である。このため、電源に一次電池を用いた鳥玩具では、一次電池の交換が必要となり、手数が掛かるほか、電源コストが上昇し、これが製品のコストを上昇させるという問題があり、さらに、一次電池の廃棄処理に要する環境コストも上昇するという問題がある。
また、商用電源を用いた鳥玩具装置では、鳥本体と別に構成したスイッチングレギュレータのようなＡＣ用電源アダプターが必要であるため、電源コストが上昇し、これが製品のコストを上昇させるほか、電源用コンセントなどの商用電源供給部がない場所では利用できないという問題がある。
【０００５】
本考案は上記のような従来の問題点を解決するためになされたもので、鳥本体の鳥の囀りに似た音声の発生及び該音声に合わせた鳥本体の動作に必要な駆動電力の全てを太陽電池で賄い得るようにするとともに、その電力供給システムの低コスト化を可能にし、併せて太陽電池を人や物体の出入りを検知するセンサーとして機能させ得るようにした鳥玩具装置を提供することを目的とする。
【課題を解決するための手段】
【０００６】
上記の目的を達成するために本考案の鳥玩具装置は、鳥を模した玩具用の鳥本体と、前記鳥本体が固定される屋根付きの止り木と、前記屋根の表面上に配設された太陽電池と、前記止り木内に設けられ前記太陽電池から出力される電力を充電する蓄電池と、前記鳥本体内に設けられ前記蓄電池を駆動電源とするスピーカと、人や物体の出入りを検知し前記太陽電池の出力電圧を駆動電源とする検知手段と、鳥の鳴き声や囀り音などの複数種類の音声情報を記憶し前記蓄電池を動作電源とする記憶手段とを備え、前記鳥本体は嘴と尾部を有し、前記嘴は前記鳥本体内に軸を支点にして上下方向に回動可能にかつ前記鳥本体の前後方向に延在して設けられた第１揺動部材の一端に設けられ、前記第１揺動部材の他端には該第１揺動部材に前記嘴が閉じる方向の回動力を生じさせるのに必要な重さを有する第１永久磁石が設けられ、前記尾部は前記鳥本体内に軸を支点にして上下方向に回動可能にかつ前記鳥本体の前後方向に延在して設けられた第２揺動部材の一端に設けられ、前記第２揺動部材の他端には該第２揺動部材に前記尾部が上方へ揺動される方向の回動力を生じさせるのに必要な重さを有する第２永久磁石が設けられ、前記第２永久磁石は前記第１永久磁石に対して該第１永久磁石の下方から離間及び接近できるように相対向して配置され、かつ前記第１永久磁石の磁極を前記第２永久磁石の磁極と互いに反発し合う極性に構成することにより前記第１永久磁石に対する前記第２永久磁石の接近及び離間に伴う両者の磁気的作用で前記第１揺動部材に揺動運動が与えられるように構成し、前記第２永久磁石の下方に位置する前記鳥本体内の箇所には前記嘴及び尾部を動作する駆動コイルを配設し、前記検知手段が人や物体の出入りを検知した時の検知信号を情報読み出しコマンドとして前記記憶手段に入力することにより該記憶手段から音声情報を読み出し音声信号に変換して前記スピーカの駆動回路に出力し、かつ前記読み出された音声情報をコイル駆動信号に変換して前記駆動コイルの駆動回路に出力し前記蓄電池を動作電源とする制御回路を備え、前記音声信号を前記スピーカの駆動回路に出力して前記スピーカを駆動することにより鳥の鳴き声や囀り音を前記スピーカから発生させると同時に前記コイル駆動信号を前記駆動コイルの駆動回路に出力して前記駆動コイルを制御することにより前記嘴及び尾部を前記スピーカらの音声に合わせて動作するように構成したことを特徴とする。
【０００７】
請求項２の考案は、請求項１記載の鳥玩具装置において、前記駆動コイルが前記第２永久磁石と磁気的に反発する極性に励磁された時に前記第２永久磁石を前記駆動コイルから離間する方向に移動させ、かつ前記駆動コイルが励磁されない時は前記第２永久磁石を自重で前記駆動コイルに接近する方向に移動させることにより前記第２揺動部材を含む尾部を上下方向に揺動させ、かつ前記第２永久磁石が前記駆動コイルから離間する方向に移動して前記第１の永久磁石に接近する時は該第２永久磁石との磁気的な反発作用により前記第１永久磁石を前記第２永久磁石から離間する方向に移動させることにより前記第１揺動部材を含む嘴を動作するように構成したことを特徴とする。
【０００８】
請求項３の考案は、請求項１記載の鳥玩具装置において、前記第１永久磁石はゴム磁石から構成されていることを特徴とする。
請求項４の考案は、請求項１記載の鳥玩具装置において、前記第２永久磁石が設けられた前記第２揺動部材の他端が当接する前記駆動コイルの上面箇所にクッション用シート材が貼着されていることを特徴とする。
【０００９】
請求項５の考案は、請求項１記載の鳥玩具装置において、前記検知手段は、前記鳥本体に設けられ出入りする人や物体からの反射光を検知する光導電素子と、前記反射光を検知した時の前記光導電素子の光導電効果に伴う抵抗値の変化を検出して検知信号を出力する検出回路とを備えることを特徴とする。
請求項６の考案は、請求項５記載の鳥玩具装置において、前記検出回路は、前記出入りする人や物体が前記太陽電池への入射光量を変化させた時の起電力の変化を検出して検知信号を出力するように構成されていることを特徴とする。
【考案の効果】
【００１０】
本考案の鳥玩具装置によれば、鳥本体の鳥の鳴き声や囀りに似せた音声を発生させるスピーカの駆動、この音声に合わせて鳥本体の嘴と尾部を動作させる駆動コイルの駆動、及び検出回路や記憶手段および制御回路などの鳥本体の動作に必要な駆動電力の全てを止り木の屋根上に配設した太陽電池から発生する起電力で賄い得るとともに電力供給システムを低コスト化することができ、しかも、太陽電池から発生する電力を蓄電池に充電し、この蓄電池を利用することにより、スピーカや駆動コイル、記憶手段、および制御回路などに安定した電圧を供給することができる。また、太陽電池は止り木の屋根上に配設される構成になっているため、鳥本体の動作電源として必要な電圧と電流容量を得るために必要な個数の太陽電池の配置場所を容易に確保することができる。
【００１１】
また、本考案の鳥玩具装置によれば、第１揺動部材の一端に嘴を設け、この第１揺動部材の他端には第１揺動部材に嘴が閉じる方向の回動力を生じさせるのに必要な重さを有する第１永久磁石を設け、さらに、第２揺動部材の一端に尾部を設け、この第２揺動部材の他端には第２揺動部材に尾部が上方へ揺動される方向の回動力を生じさせるのに必要な重さを有する第２永久磁石を設け、そして、第２永久磁石を第１永久磁石に対して下方から離間及び接近できるように相対向して配置するとともに第１永久磁石の磁極を第２永久磁石の磁極と反発し合う極性に構成して、第１永久磁石に対する第２永久磁石の接近及び離間に伴う両者の磁気的作用で第１揺動部材に揺動運動が与えられるように構成したので、嘴と尾部をスピーカからの鳥の鳴き声や囀り音に合わせてスムーズに動作させ得るほか、尾部に微風が吹き付けられるだけで尾部及び嘴を容易に揺動させることができ、これに伴い駆動コイルの小容量化が可能になる。
【００１２】
また、本考案の鳥玩具装置によれば、第１永久磁石をゴム磁石から構成したので、嘴が閉じられる方向に第１揺動部材が回動することにより、その他端に設けた第１永久磁石が鳥本体内の当接部位に衝合しても、その衝合力をゴム磁石で吸収できるとともに、この衝合に伴うノイズ音の発生を低減できる。
また、本考案の鳥玩具装置によれば、第２揺動部材の他端が当接する駆動コイルの上面箇所にクッション用シート材が貼着されているので、第２揺動部材の他端が駆動コイルの上面に衝合しても、その衝合力をクッション用シート材で吸収できるとともに、この衝合に伴うノイズ音の発生を低減できる。
また、本考案にかかる鳥玩具装置の検知手段を構成する検出回路によれば、出入りする人や物体が太陽電池への入射光量を変化させた時の起電力の変化を検出して検知信号を出力するように構成したので、太陽電池を人や物体の出入りを検知するセンサーとして機能させることができ、人や物体の出入りに伴う鳥玩具の動作を多様化できる。
【考案を実施するための最良の形態】
【００１３】
以下、本考案にかかる鳥玩具装置の実施例１について、図面を参照して説明する。
図１は実施例１における鳥玩具装置の全体の構成を示す斜視図、図２は実施例１における鳥本体の拡大縦断側面図、図３は実施例１における屋根付き止り木の縦断正面図、図４の図３の底面図、図５は実施例１における鳥玩具装置の回路構成を示す回路図である。
【実施例１】
【００１４】
図１において、鳥玩具装置１０は、鳥を模した合成樹脂製の玩具用鳥本体１１と、屋根１２を有する合成樹脂製の止り木１３と、屋根１２の表面上に配設された太陽電池１４を備える。
前記鳥本体１１は、図１及び図２に示すように、頭部１１１、胴部１１２、および腹部１１３の部分に分割された３つの中空体から構成され、それぞれは一体的に接合できる構造になっている。また、腹部１１３の下面中央には、鳥本体１１を止り木１３に取り付けるための結合部１１３ｄが突設されている。さらに、腹部１１３の下面には２本の足１１６が設けられている。
【００１５】
前記止り木１３は、鳥本体１１の大きさに適合する所定長さの半円筒状を呈する水平部材１３１と、この水平部材１３１の両端にその半円筒面から鉛直に設けた一対の支柱１３２と、この両支柱１３２の上端間に差し渡し状態に設けた切妻形の屋根１２とから構成されている。また、水平部材１３１の長手方向の中央部には、前記結合部１１３ｄが着脱可能に嵌合される結合部１３１ａが半円筒面から鉛直に突設されている。したがって、結合部１１３ｄを結合部１３１ａに嵌合することにより鳥本体１１を止り木１３に取り付けることができる。
前記切妻形屋根１２の一方の屋根部の外表面に形成した収容部１２ａ内には、鳥本体１１の動作電源として必要な電圧と電流容量を得るために必要な個数の太陽電池１４が平板状に配列され、これら太陽電池１４を収容した収容部１２ａは透明なカバー部材１５により水密に閉塞されている。
【００１６】
前記水平部材１３１の下面は開放され、この開口１３１ａは、図３及び図４に示すように、蓋部材１６により閉塞され、この蓋部材１６はタッピングねじ１７により水平部材１３１に着脱可能な固定できるように構成されている。
前記蓋部材１６の内側には蓄電池収納部１８が設けられ、この収納部１８内には蓄電池１９が着脱可能に挿着されている。この蓄電池１９は前記太陽電池１４から出力される起電力によって所定の電圧と電流容量に充電される。
また、収納部１８内には、図３及び図４に示すように、蓄電池１９の正極と負極が別々に接触する接触端子１８Ａ，１８Ｂが設けられている。
【００１７】
前記鳥本体１１は、図２に示すように、頭部１１１の前端から前方へ突出する嘴１１４と、胴部１１２の後端から後方へ延在するように突出させた尾部１１５を有している。
前記嘴１１４は、図２に示すように、頭部１１１内に軸２０ａを支点にして上下方向に回動可能にかつ頭部１１１の前後方向(鳥本体の前後方向)に延在して設けられた第１揺動部材２０の一端に設けられ、第１揺動部材２０の他端には第１揺動部材２０に嘴１１４が閉じる方向の回動力、すなわち軸２０ａを中心とする時計回り方向の回動力を生じさせるのに必要な重さを有する第１永久磁石２１が設けられている。この第１永久磁石２１はゴム磁石から構成され、これにより、第１揺動部材２０の時計回り方向への回動角度を規制する第１永久磁石２１が胴部１１２の当接部位１１２ａに衝合しても、その衝合圧力をゴム磁石で吸収できるように構成されている。
【００１８】
また、前記尾部１１５は、図２に示すように、胴部１１２内に軸２２ａを支点にして上下方向に回動可能にかつ胴部１１２の前後方向に延在して設けられた第２揺動部材２２の一端に設けられ、第２揺動部材２２の他端には第２揺動部材２２に尾部１１５が上方へ揺動される方向の回動力、すなわち軸２２ａを中心とする反時計回り方向の回動力を生じさせるのに必要な重さを有する第２永久磁石２３が設けられている。この第２永久磁石２３は第１永久磁石２１に対して第１永久磁石２１の下方から離間及び接近できるように相対向して配置され、そして、第２永久磁石２３の磁極を第１永久磁石２１の磁極と互いに反発し合う極性に構成することにより第１永久磁石２１に対する第２永久磁石２３の接近及び離間に伴う両者の磁気的作用で第１揺動部材２１に上下方向の揺動運動が与えられるように構成されている。
【００１９】
前記第２永久磁石２３の下方に位置する箇所には、図２に示すように、嘴１１４及び尾部１１５を動作する駆動コイル２４が配設されている。この駆動コイル２４は、腹部１１３内を水密状態に区画する区画部材２５の内側に固着されている。また、第２永久磁石２３が設けられた第２揺動部材２２の他端が当接する区画部材２５の上面箇所２５ａにはクッション用シート材２６が貼着されている。このクッション用シート材２６は第２揺動部材２２の他端が区画部材２５の上面箇所２５ａに衝合しても、その衝合力をクッション用シート材で吸収できるように構成されている。
【００２０】
前記区画部材２５で水密に区画された腹部１１３内には、図２に示すように、スピーカ２７及び回路基板２８が配設されている。スピーカ２７は鳥の鳴き声や囀り音などの音声を発生させるためのものであり、このスピーカ２７と対向する腹部１１３には、スピーカ２７の発生する音声を鳥本体１１外へ放出するための多数の小孔１１３ａが形成されている。また、回路基板２８には、後述する検知回路（請求項に記載した検知手段に相当する）、記憶回路（請求項に記載した記憶手段に相当する）や制御回路、および蓄電池１９の充電回路などが実装されている。また、腹部１１３には、鳥本体１１の正面に向けて開口するセンサー収容部１１３ｂが設けられており、このセンサー収容部１１３ｂ内には、人や物体からの反射光をセンサー収容部１１３ｂの開口１１３ｃを通して検知する光導電素子２９が装着されている。
【００２１】
次に、本実施例１における鳥玩具装置の駆動制御に適用される回路構成について図５を参照して説明する。
図５において、鳥玩具装置を駆動制御するための回路は、主として、太陽電池１４、蓄電池１９、光導電素子２９、検知回路３０、記憶回路３１、制御回路３２、スピーカ駆動回路３３、コイル駆動回路３４を備える。
【００２２】
太陽電池１４の両端には、図５に示すように、充電回路３５を介して蓄電池１９が並列に接続されている。前記充電回路３５は回路基板２８に実装されるもので、逆流防止用のダイオード３５ａと、太陽電池１４の両端に並列に接続された複数の過充電防止用発光ダイオード３５ｂとから構成される。
また、太陽電池１４及び蓄電池１９の負極（−極）とグランドとの間には、電源スイッチ３６が接続されている。この電源スイッチ３６は、図３及び図４に示すように、蓄電池１９の正極側接触端子１８Ａに対し離接するように蓋部材１６の内側に設けた可動接片３６ａと、この可動接片３６ａに隣接して蓋部材１６の内側に揺動可能に設けられ可動接片３６ａを正極側接触端子１８Ａに対して離接させるカム部材３６ｂと、このカム部材３６ｂを揺動させ得るように止り木１３の水平部材１３１に図４に示す矢印方向にスライド可能に設けられたオン・オフ用の切り替えレバー３６ｃとから構成されている。
【００２３】
なお、止り木１３の屋根１２上に配置した太陽電池１４と回路基板２８に実装した充電回路３５との間は、止り木１３の支柱１３２と水平部材１３１の内部および結合部１３１ａを通して鳥本体１１内に配線されたリード線（図示せず）によって接続される。また、止り木１３の水平部材１３１内に配置した蓄電池１９の接触端子１８Ａ，１８Ｂと回路基板２８に実装した充電回路３５との間は、水平部材１３１の内部および結合部１３１ａを通して鳥本体１１内に配線されたリード線（図示せず)によって接続される。
【００２４】
このような太陽電池１４において、太陽電池１４に、例えば５００Ｌｘ以上の照度の光が入射すると、太陽電池１４に入射光量に応じた起電力が発生する。これによる起動電流を逆流防止用のダイオード３５ａを通して蓄電池１９に供給すれば蓄電池１９充電する。
ここで、蓄電池１９の最大充電電圧は、例えば２.５Ｖ〜３Ｖ程度であり、この充電電圧を得るための太陽電池１４の開放電圧は、例えば４Ｖ程度である。
なお、蓄電池１９が２.５Ｖ〜３Ｖ程度の電圧に充電された状態での太陽電池１４の起動電流は、過充電防止用の発光ダイオード３５ｂを通して流れ、発光ダイオード３５ｂで消費することにより、蓄電池１９の過充電を防止する。
【００２５】
検知回路３０は人や物体の出入りを検知するものであり、回路基板２８に実装されている。また、この検知回路３０は、出入りする人や物体からの反射光を検知するＣｄＳ等の光導電素子２９と、前記反射光を検知した時の光導電素子２９の光導電効果に伴う抵抗値の変化を検出して検知信号を出力する検出回路３０１及び検出回路３０１から出力される検知信号を増幅する増幅回路３０２とから構成される。
前記光導電素子２９の一端は、図５に示すように、抵抗Ｒ１を介して太陽電池１４の正極に接続され、光導電素子２９の他端はクランドに接続されている。このため、光導電素子２９には電源スイッチ３６を介して太陽電池１４から発生する起電力が動作電源として供給されるようになっている。
【００２６】
前記検出回路３０１は太陽電池１４から発生する起電力を動作電源とするもので、図５に示すように、光導電素子２９と抵抗Ｒ１との接続点に結合コンデンサＣ１を介してベースを接続したトランジスタＴｒ１と、そのベースブリーダ抵抗Ｒ３，Ｒ４及びコレクタ抵抗Ｒ５などから構成される。また、この検出回路３０１は、出入りする人や物体が太陽電池１４への入射光量を変化させた時の起電力の変化を光導電素子２９と抵抗Ｒ１との接続点における電圧の変化として検出し、これを検知信号として出力するように構成されている。
前記増幅回路３０２は蓄電池１９を動作電源とするもので、図５に示すように、トランジスタＴｒ１のコレクタと抵抗Ｒ５との接続点に結合コンデンサＣ２を介してベースを接続したトランジスタＴｒ２と、そのベース・エミッタ間に接続したプルーアップ用ダイオードＤ１及びそのコレクタとグランド間に接続したコンデンサＣ３とから構成される。そして、トランジスタＴｒ２のコレクタとコンデンサＣ３との接続点から取り出される検出信号は制御回路３２に取り込まれるように構成されている。
【００２７】
前記記憶回路３１は、鳥の鳴き声や囀り音などの複数種類の音声情報を記憶するものであり、蓄電池１９を動作電源としている。
前記制御回路３２は、検知回路３０が人や物体の出入りを検知した時の検知信号を情報読み出しコマンドとして記憶回路３１に入力することにより記憶回路３１から音声情報を読み出し、これを音声信号に変換してスピーカ駆動回路３３に出力し、また、前記読み出された音声情報をコイル駆動信号に変換してコイル駆動回路３４に出力するものであり、この制御回路３２は蓄電池１９を動作電源としている。
【００２８】
次に、本実施例１の動作について説明する。
まず、鳥玩具装置１０を、例えば家の出入り口や窓際などの、人や物体の出入りする場所に吊り下げ状態に設置し、かつ電源スイッチ３６をオン状態にする。この時、鳥玩具装置１０が設置される場所の照度は、例えば５００Ｌｘ以上の光が降り注ぐ場所であるのが望ましい。
【００２９】
かかる状態において、人や物体が光導電素子２９の前方を横切ると、人や物体からの反射光が腹部１１３の開口１１３ｃを通して光導電素子２９に入射される。これに伴い、光導電素子２９の光導電効果により、その抵抗値が変化するため、図５に示す光導電素子２９の両端間に発生する電圧が変化し、この電圧の変化が入力信号として検出回路３０１のトランジスタＴｒ１のベースに入力されることにより、トランジスタＴｒ１のコレクタ側から検知信号が取り出される。この検知信号は増幅回路３０２で増幅された後、制御回路３２に取り込まれる。
制御回路３２では、検知信号を情報読み出しコマンドとして記憶回路３１に入力することにより記憶回路３１から音声情報を読み出し、これを音声信号に変換してスピーカ駆動回路３３に出力し、また、前記読み出された音声情報を、例えばパルス幅変調されたコイル駆動信号に変換してコイル駆動回路３４に出力する。
【００３０】
したがって、音声信号がスピーカ駆動回路３３を通してスピーカ２７に供給されるとスピーカ２７は鳴動され、スピーカ２７からは鳥の鳴き声や囀り音が発生する。この時、スピーカ２７から発生する音声は、異なる複数の鳥の鳴き声や囀り音から構成され、そして、これらの音声は１回の検知信号が検知されるごとに連続して出力される。
また、コイル駆動信号がコイル駆動回路３４を通して駆動コイル２４に供給されると、駆動コイル２４はパルス幅変調されたコイル駆動信号の波形に従って励磁と非励磁動作を繰り返す。ここで、駆動コイル２４が励磁された時は、この駆動コイル２４は第２永久磁石２３と磁気的に反発する極性に励磁されるため、第２永久磁石２３は駆動コイル２４との磁気的反作用によって駆動コイル２４から離間する方向に移動されるとともに、第２永久磁石２３と一体の第２揺動部材２２は軸２２ａを支点にして図２の２点鎖線に示す矢印Ａの方向に回動される。そして、駆動コイル２４が励磁されない時、第２揺動部材２２は第２永久磁石２３に作用する重力によって図２の実線に示すクッション用シート材２６と当接する位置に戻される。
すなわち、駆動コイル２４がコイル駆動信号の波形に従って励磁と非励磁動作を繰り返すことにより、第２永久磁石２３と一体の第２揺動部材２２は軸２２ａを支点に上下方向に揺動されると同時に、尾部１１５も第２揺動部材２２と一体に上下方向に揺動される。すなわち、尾部１１５は前記スピーカ２７からの鳥の鳴き声や囀り音に合わせて揺動されることになる。
【００３１】
一方、駆動コイル２４が励磁されることによる磁気的反作用で第２永久磁石２３が駆動コイル２４から離間する方向に移動して第１永久磁石２１に接近すると、この第１永久磁石２１は第２永久磁石２３との磁気的反作用によって第２永久磁石２３から離間する方向に移動されるとともに、第１永久磁石２１と一体の第１揺動部材２０が軸２０ａを支点にして図２の２点鎖線に示す矢印Ｂの方向に回動され、同時に嘴１１４が図２の２点鎖線に示すように開かれる。そして、駆動コイル２４が励磁されない時は、第２永久磁石２３は第１永久磁石２１から離間するため、嘴１１４を含む第１揺動部材２０は第１永久磁石２１に作用する重力によって図２の実線に示す位置に戻される。
すなわち、駆動コイル２４がコイル駆動信号の波形に従って励磁と非励磁動作を繰り返すことにより、第１永久磁石２１と一体の第１揺動部材２０は軸２０ａを支点に上下方向に揺動されると同時に、嘴１１４も第１揺動部材２０と一体に上下方向に揺動される。すなわち、嘴１１４は前記スピーカ２７からの鳥の鳴き声や囀り音に合わせて揺動されることになる。
【００３２】
このような本実施例１によれば、鳥本体１１の鳥の鳴き声や囀りに似せた音声を発生させるスピーカ２７の駆動、この音声に合わせて鳥本体１１の嘴１１４と尾部１１５を動作させる駆動コイル２４の駆動、及び検出回路３０、記憶回路３１、制御回路３２などの鳥本体１１の動作に必要な駆動電力の全てを止り木１３の屋根１２上に配設した太陽電池１４から発生する起電力で賄い得るようにしたので、従来のような乾電池やＡＣ用電源アダプターが不要になり、電源コストを大幅に低減できるとともに製品コストも低減することができ、かつ電源用コンセントなどの商用電源供給部がない場所では簡便に利用することができる。しかも、太陽電池１４から発生する電力を蓄電池１９に充電し、この蓄電池１９を利用することにより、スピーカ１７や駆動コイル２４、記憶回路３１及び制御回路３２などに安定した電圧を供給することができる。また、太陽電池１４は止り木１３の屋根１２上に配設される構成になっているため、鳥本体１１の動作電源として必要な電圧と電流容量を得るために必要な個数の太陽電池の配置場所を容易に確保でき、その設置コストも低減できる。
【００３３】
また、本実施例１によれば、第１揺動部材２０の一端に嘴１１４を設け、この第１揺動部材２０の他端には第１揺動部材２０に嘴１１４が閉じる方向の回動力を生じさせるのに必要な重さを有する第１永久磁石２１を設け、さらに、第２揺動部材２２の一端に尾部１１５を設け、この第２揺動部材２２の他端には第２揺動部材２２に尾部１１５が上方へ揺動される方向の回動力を生じさせるのに必要な重さを有する第２永久磁石２３を設け、そして、第２永久磁石２３を第１永久磁石２１に対して下方から離間及び接近できるように相対向して配置するとともに第１永久磁石２１の磁極を第２永久磁石２３の磁極と反発し合う極性に構成して、第１永久磁石２１に対する第２永久磁石２３の接近及び離間に伴う両者の磁気的作用で第１揺動部材２０に揺動運動が与えられるように構成したので、嘴１１４と尾部１１５をスピーカ２７からの鳥の鳴き声や囀り音に合わせてスムーズに動作させ得るほか、尾部１１５に微風が吹き付けられるだけで尾部１１５及び嘴１１４を容易に揺動させることができ、これに伴い駆動コイル２４の小容量化も可能になる。
【００３４】
また、本実施例１によれば、第１永久磁石２１をゴム磁石から構成したので、嘴１１４が閉じられる方向に第１揺動部材２０が回動することにより、その他端に設けた第１永久磁石２１が鳥本体１１内の当接部位に衝合しても、その衝合力をゴム磁石で吸収できるとともに、この衝合に伴うノイズ音の発生を低減できる。
また、本実施例１によれば、第２揺動部材２２の他端が当接する駆動コイル２４の上面箇所にクッション用シート材２６が貼着されているので、第２揺動部材２２の他端が駆動コイル２４の上面箇所に衝合しても、その衝合力をクッション用シート材２６で吸収できるとともに、この衝合に伴うノイズ音の発生を低減できる。
また、本実施例１における鳥玩具装置の検知回路３０を構成する検出回路３０１によれば、出入りする人や物体が太陽電池１４への入射光量を変化させた時の起電力の変化を検出して検知信号を出力するように構成したので、太陽電池１４を人や物体の出入りを検知するセンサーとして機能させることができ、人や物体の出入りに伴う鳥玩具の動作を多様化できるという効果がある。
【図面の簡単な説明】
【００３５】
【図１】本実施例１における鳥玩具装置の全体の構成を示す斜視図である。
【図２】本実施例１における鳥本体の拡大縦断側面図である。
【図３】本実施例１における屋根付き止り木の縦断正面図である。
【図４】図３の底面図である。
【図５】本実施例１における鳥玩具装置の回路構成を示す回路図である。
【符号の説明】
【００３６】
１０    鳥玩具装置
１１    鳥本体  
１１４  嘴
１１５  尾部
１２    屋根
１３    止り木
１４    太陽電池
１９    蓄電池
２０    第１揺動部材
２１    第１永久磁石
２２    第２揺動部材
２３    第２永久磁石
２４    駆動コイル
２６    クッション用シート材
２７    スピーカ
２８    回路基板
２９    光導電素子
３０    検知回路
３０１  検出回路
３０２  増幅回路
３１    記憶回路
３２    制御回路
３３    スピーカ駆動回路
３４    コイル駆動回路
【図１】
0003116493.tif 000003
【図２】
0003116493.tif 000004
【図３】
0003116493.tif 000005
【図４】
0003116493.tif 000006
【図５】
0003116493.tif 000007